【事件の表示】
　平成１０年特許願第３５５１９号「導電性ペースト組成物、転写フィルムおよびプラズマディスプレイパネル」拒絶査定不服審判事件〔平成１１年８月１０日出願公開、特開平１１−２１９６１９〕について、次のとおり審決する。
【結　論】
　本件審判の請求は、成り立たない。
【理　由】
１．手続の経緯
　本件審判に係る出願は、平成１０年２月２日に出願されたもので、平成１８年７月２１日付け拒絶理由通知書が送付され、願書に添付した明細書又は図面についての同年９月２８日付け手続補正書が提出されたものの、平成１９年９月２１日付けで拒絶査定されたものである。
 
２．原査定
　原査定の拒絶理由の１つは、以下のとおりのものと認める。
 
　「この出願の請求項１に係る発明は、その出願前日本国内又は外国において頒布された引用文献１〜１６に記載された発明に基いて、その出願前にその発明の属する技術の分野における通常の知識を有する者が容易に発明をすることができたものであるから、特許法第２９条第２項の規定により特許を受けることができない。」
 
引用文献１：特開平３−１３７１７３号公報
引用文献２：特開平４−７３６９号公報
引用文献３：特開平７−６２２７４号公報(以下、「刊行物３」という。)
引用文献４：特開平７−７３７３０号公報
引用文献５：特開平７−３３１１２５号公報
引用文献６：特開平１０−２１７４２号公報
引用文献７：特開平９−９２０２９号公報(以下、「刊行物４」という。)
引用文献８：特開平８−９６６２２号公報
引用文献９：特開平５−１３５６１９号公報
引用文献１０：特開平４−１４５１７１号公報
引用文献１１：特開平３−７７２０２号公報
引用文献１２：特開昭６３−８３１７８号公報(以下、「刊行物２」という。)
引用文献１３：特開平７−９４０９５号公報
引用文献１４：特開平８−３１３８８５号公報
引用文献１５：特開平９−２１３２１５号公報
引用文献１６：特開平９−３０６３４３号公報(以下、「刊行物１」という。)
 
３．当審の判断 
３−１．原査定の拒絶理由について
３−１−１．本件の発明
　本件の請求項１に係る発明（以下、「本件発明」という。）は、平成１８年９月２８日付けで手続補正された明細書の特許請求の範囲の請求項１に記載された事項により特定されるものであって、同項の記載は以下のとおりのものと認める。
 
　「導電性ペースト組成物からなる膜形成材料層が支持フィルム上に形成されてなるプラズマディスプレイパネルの電極形成用転写フィルムであって、
　前記導電性ペースト組成物は、（Ａ）導電性粒子、（Ｂ）結着樹脂および（Ｃ）炭素数が８〜３０である脂肪酸を含有し、
　前記膜形成材料層は、４００〜６００℃で焼成されることを特徴とする、プラズマディスプレイパネルの電極形成用転写フィルム。」
 
３−１−２．刊行物１〜４の記載
１）刊行物１には、以下の記載が認められる。
 
Ａ；「【００１１】
【発明の実施の形態】本発明は感光性導電ペーストをフィルム上に塗布する工程、露光工程、現像工程により微細パターンを形成した後、ガラス基板上に転写する工程により電極を形成することを特徴とするプラズマディスプレイパネルの製造方法」
Ｂ；「【００６１】・・・［審決注；「・・・」は記載の省略を示す。以下、同様。］（焼成工程）次に焼成炉にて焼成を行う。焼成雰囲気や、温度はペーストや基板の種類によって異なるが、空気中、窒素、水素等の雰囲気中で焼成する。焼成温度は４００〜６１０℃で行う。」
Ｃ；「【００７０】（感光性導電ペーストの作製）表１に示す組成で以下の溶媒およびバインダーポリマーＡを各々混合し攪拌しながら８０℃まで加熱し、すべてのバインダーポリマーを均質に溶解させた。ついで溶液を室温まで冷却し、以下の光重合開始剤Ｂを加えて溶解させた。その後溶液を４００メッシュのフィルターを通し濾過した。その後、表１に示す組成で以下の導電性粉末Ｃ１またはＣ２、光反応性化合物Ｄ、ガラス粉末Ｅ１またはＥ２、可塑剤Ｆ、増感剤Ｇ、増感助剤Ｈ、増粘剤Ｉ、レベリング剤Ｊおよび溶媒を表１に示す組成となるように添加し、３本ローラーで混合・分散してペーストを作製した。
【００７１】溶媒：γ−ブチロラクトン
バインダーポリマーＡ：側鎖にカルボキシル基とエチレン性不飽和基を有するアクリル系共重合体）；４０％のメタクリル酸（ＭＡＡ）、３０％のメチルメタアクリレート（ＭＭＡ）および３０％のスチレン（Ｓｔ）からなる共重合体にＭＡＡに対して０．４当量のグリシジルメタアクリレート（ＧＭＡ）を付加反応させたポリマー
光重合開始剤Ｂ：２−メチル−１［４−（メチルチオ）フェニル］−２−モルホリノプロパノン−１をポリマーとモノマーとの総和に対して２０％添加した。
【００７２】導電性粉末Ｃ１：Ａｇ粉末；単分散粒状、平均粒子径３．７μｍ、比表面積０．４８ｍ２ ／ｇ
導電性粉末Ｃ２：９５％Ａｇ−５％Ｐｄ粉末；単分散粒状、平均粒子径３．３μｍ、比表面積０．８２ｍ２／ｇ」
Ｄ；「【００７４】（塗布工程）得られた各々の感光性導電ペーストを３２５メッシュのスクリーンを用いて転写用フィルム（４３０ｍｍ×４３０ｍｍ角、厚み１００μｍ）上に４００ｍｍ角の大きさにベタ印刷し、８０℃で４０分間保持して乾燥した。乾燥後の塗布膜の厚みは１２〜１５μｍであった。」
Ｅ；「【００７５】（露光工程・現像工程）得られた塗布膜を４０〜７０μｍのファインパターンを有するＰＤＰ用電極を形成したクロムマスクを用いて、上面から５００ｍＷ／ｃｍ２の出力の超高圧水銀灯で紫外線露光した。次に２５℃に保持したモノエタノールアミンの０．５％の水溶液に浸漬して現像し、その後スプレーを用いて未露光部を水洗浄しパターンを形成した。
【００７６】（転写工程）フィルム上に形成されたパターンをガラス基板（４３０ｍｍ角、厚み１．１ｍｍ）に重ね合わせた。予めガラス基板および転写フィルムにアライメントマークを設けて、パターンの位置合わせを行った。さらに、１１０℃に加熱した加圧用ローラーにより１０ｋｇ／ｃｍ２で加圧してフィルムを剥がした後、パターンが転写されたガラス基板を得た。
【００７７】（焼成工程）ガラス基板上に形成されたパターンを空気中、５８０℃で１５分間焼成を行い、電極導体膜を作製し、プラズマディスプレイ用電極を得た。」
 
２）刊行物２には、以下の記載が認められる。
 
Ｆ；「金属銅粉100重量部に対して、樹脂混和物（メラミン樹脂30〜70重量％とアクリル樹脂70〜30重量％からなる樹脂混和物）10〜40重量部および飽和脂肪酸又は不飽和脂肪酸若しくはそれらの金属塩とから成ることを特徴とする導電塗料。」（特許請求の範囲）
Ｇ；「本発明に使用する飽和脂肪酸又は不飽和脂肪酸若しくはそれらの金属塩とは、樹脂混和物中に金属銅粉を分散させる分散剤であつて、飽和脂肪酸にあつては炭素数16〜20のパルミチン酸、ステアリン酸、アラキン酸など又は不飽和脂肪酸にあつては炭素数16〜18のゾーマリン酸、オレイン酸、リノレン酸などで、」（３頁右上欄５〜１１行）
Ｈ；「アクリル樹脂とメラミン樹脂とを混和させた樹脂混和物を本発明で使用する理由は、分子量の大きいアクリル樹脂間をメラミン樹脂によつて架橋させ、三次元網目構造とすると、金属銅粉をよくバインドすると共に」（２頁左下欄１６〜２０行）
Ｉ；「（実施例）・・・粒径5〜10μmの樹枝状金属銅粉、分散剤のステアリン酸銅、オレイン酸銅およびオイレイン酸カリウム、樹脂混和物のメラミン樹脂およびアクリル樹脂をそれぞれ第１表に示す割合で配合（重量部）し、溶剤として若干のブチルセルソルブアセテートを加えて、20分間三軸ロールで混練りして導電塗料を調製した。」（３頁左下欄８〜１８行）
 
３）刊行物３には、以下の記載が認められる。
 
Ｊ；「【請求項１】  銀メッキ量３０重量％以下の銀メッキ銅粉１００重量部に対し、下記条件を満足するフェノール樹脂（固形分）１３．６乃至６．０重量部、飽和脂肪酸または不飽和脂肪酸もしくはそれらの金属塩もしくは飽和脂肪酸または不飽和脂肪酸を含むカップリング剤０．２乃至０．７重量部、トリエタノールアミン１．０乃至４．０重量部、ジヒドロキシベンゼン０．１乃至１．０重量部からなることを特徴とする金属酸化物成形体との密着性の良い導電塗料。」
Ｋ；「【００１２】飽和脂肪酸または不飽和脂肪酸もしくはそれらの金属塩もしくは飽和脂肪酸または不飽和脂肪酸を含むカップリング剤とは、飽和脂肪酸にあっては、炭素数１６〜２０のパルミチン酸、ステアリン酸、アラキン酸など、不飽和脂肪酸にあっては、炭素数１６〜１８のゾーマリン酸、オレイン酸、リノレン酸などで・・・ある。これらの分散剤は、銀メッキ銅粉の分散を良くするために添加するものである」
Ｌ；「【００１７】
【実施例】まず、表１に示す組成（重量部）の実施例１〜９及び比較例１０〜１７を適当な容器に計量し、それらをロールミルで２０分間混練してペースト（導電塗料）とした。」
 
４）刊行物４には、以下の記載が認められる。
 
Ｍ；「【００２２】（実施例１）先ず、次のようにして導体形成用ペーストを得た。
 　　結合剤（エチルセルロース）　　　　　３重量部
 　　溶剤（キシレン）　　　　　　　　　１０重量部
 　　溶剤（ケロシン）　　　　　　　　　　６重量部
 　　分散剤（ステアリン酸）　　　　　　　１重量部
上記組成を混合し、３０分間ホモジナイザーを用いて攪拌し、これをビヒクルとした。
【００２３】これに、
 　　銀粉末　　　　　　　　　　　　　　６４重量部
 　　パラジウム粉末　　　　　　　　　　１６重量部
を加え、スパイラルミキサーで１時間混合した後、ビーズミルにて１時間混練分散し、導体形成用ペーストを得た。」
 
３−１−３．刊行物１記載の発明
　刊行物１には、記載Ｄによれば、「感光性導電ペーストからなる塗布膜が形成された転写用フィルム」の発明が記載されていると認められる。
　そして、この発明の塗布膜が形成された転写用フィルムは、記載ＡおよびＥによれば、プラズマディスプレイパネル用電極の形成に用いられるものである。
　また、この発明の塗布膜は、記載ＢおよびＥによれば、パターン化された後、転写用フィルム上からガラス基板上に転写され、その後、４００〜６１０℃で焼成されるものである。
　さらに、この発明の感光性導電ペーストは、記載Ｃによれば、バインダーポリマーと導電性粉末を含むものである。
　そうすると、刊行物１には、以下の発明（以下、「引用発明１」という。）が記載されているということができる。
 
　「プラズマディスプレイパネル用電極の形成に用いられる、バインダーポリマーと導電性粉末を含む感光性導電ペーストからなる塗布膜が形成された転写用フィルムであって、塗布膜はパターン化され、ガラス基板上に転写され、その後４００〜６１０℃で焼成される、塗布膜が形成された転写用フィルム」
 
３−１−４．対比判断
 
１）本件発明と引用発明１とを対比する。
　引用発明１の「バインダーポリマー」は、本件発明の「結着樹脂」に相当し、引用発明１の「導電性粉末」は、本件発明の「導電性粒子」に相当し、引用発明１の「塗布膜」は、本件発明の「膜形成材料層」に相当し、引用発明１の「塗布膜が形成された転写用フィルム」は、本件発明の「転写フィルム」に相当し、引用発明１の「転写用フィルム」は、本件発明の「支持フィルム」に相当する。
　そうすると、本件発明は、引用発明１とは、
「導電性ペースト組成物からなる膜形成材料層が支持フィルム上に形成されてなるプラズマディスプレイパネルの電極形成用転写フィルムであって、前記導電性ペースト組成物は、（Ａ）導電性粒子および（Ｂ）結着樹脂を含有し、前記膜形成材料層は、４００〜６００℃で焼成される、プラズマディスプレイパネルの電極形成用転写フィルム。」である点で一致し、
　以下の点において相違していると認められる。
相違点Ａ；本件発明は、導電性ペースト組成物が、さらに「（Ｃ）炭素数が８〜３０である脂肪酸を含有」する点
 
２）相違点Ａについて検討する。
　導電性粉末およびバインダーポリマーを含有する導電ペーストとして、導電性粉末を分散させるために、さらに炭素数が８〜３０である脂肪酸を含有させたものは刊行物２〜４に見られるように、本願出願前に周知の技術である。
　そうすると、引用発明１において、この周知の事項を採用して、導電性ペースト組成物を、導電性粒子、結着樹脂および炭素数が８〜３０である脂肪酸を含有したものとすることは、当業者が容易に想到し得たことである。
 
３−１−５．まとめ
　本件発明は、引用発明１に基いて、その出願前にその発明の属する技術の分野における通常の知識を有する者が容易に発明をすることができたものであるから、 特許法第２９条第２項の規定により特許を受けることができない。
 
４．結び
 　原査定は、妥当である。
 　したがって、結論のとおり審決する。